(57)【特許請求の範囲】
【請求項１】
主光源および常夜灯と、下端に第１の操作つまみを設けた引き紐を有してその引き紐を引くことにより前記主光源を制御する第１のプルスイッチと、下端に第２の操作つまみを設けた引き紐を有してその引き紐を引くことにより前記常夜灯を制御する第２のプルスイッチとを備え、前記第１のプルスイッチの引き紐および前記第２のプルスイッチの引き紐が接近して垂下し、前記第２の操作つまみが前記第１の操作つまみよりも高い位置にあり、前記第２の操作つまみは暗くても確認できる蓄光効果を有する照明器具。
【請求項２】
前記プルスイッチの前記操作つまみは形状または色が異なる請求項１記載の照明器具。
【請求項３】
前記プルスイッチの前記操作つまみの引き紐は相互に種類、太さまたは色が異なる請求項１記載の照明器具。
【請求項４】
前記複数のプルスイッチの前記操作つまみが、相互に操作つまみ１つ分の長さより長い相互間隔をあけている請求項１記載の照明器具。
【発明の詳細な説明】
【０００１】
【発明の属する技術分野】
この発明は、吊下型などの住宅用あるいは店舗用等の照明器具に関するものである。
【０００２】
【従来の技術】
複数の蛍光灯、白熱灯および豆球を有する照明器具で、主光源の切替えすなわち蛍光灯と白熱灯の切り換えスイッチや、点灯状態の切替え例えば全灯→１灯→豆球→滅の切り換えスイッチを有する吊り下げ型照明器具があった。
【０００３】
【発明が解決しようとする課題】
上記の点灯状態を切り換える場合、例えば夜点灯する豆球の使用頻度が主光源の切替えと比較して低いにもかかわらず、豆球の点灯を経由して切替えている。このため、点灯状態の切替えの操作性が悪く、また豆球を一瞬無駄に使用しているという欠点があった。
【０００４】
したがって、この発明の目的は、ランプの使用頻度に応じて使い分けができスイッチ操作が簡単な照明器具を提供することである。
【０００５】
【課題を解決するための手段】
請求項１記載の照明器具は、主光源および常夜灯と、下端に第１の操作つまみを設けた引き紐を有してその引き紐を引くことにより前記主光源を制御する第１のプルスイッチと、下端に第２の操作つまみを設けた引き紐を有してその引き紐を引くことにより前記常夜灯を制御する第２のプルスイッチとを備え、前記第１のプルスイッチの引き紐および前記第２のプルスイッチの引き紐が接近して垂下し、前記第２の操作つまみが前記第１の操作つまみよりも高い位置にあり、前記第２の操作つまみは暗くても確認できる蓄光効果を有するものである。
【０００６】
請求項１記載の照明器具によれば、複数のプルスイッチを用途すなわち使用頻度に応じて分担制御することにより、使用頻度に応じてプルスイッチを相互に使い分けることができ、スイッチ操作が簡単な照明器具を得ることができる。プルスイッチが２個であり、プルスイッチの各操作つまみの位置が相互に異なるため、簡単な構成により２個のプルスイッチを見分けやすい。部屋全体のあかりの切替すなわち主光源の切替は使用頻度が高いので操作つまみの位置を低くし、使用頻度が低い常夜灯は操作つまみの位置を高くしたため、よく使う操作つまみの位置が低くなることにより、他の操作つまみを一緒に引くことがなく操作性がよい。操作つまみの位置が高いプルスイッチが、前記操作つまみが暗くても確認できる蓄光効果を有するため、暗がりの中でも、豆球等の常夜灯を操作する操作つまみが分かりやすい。
【００１３】
請求項２記載の照明器具は、請求項１において、前記プルスイッチの前記操作つまみが形状または色が異なるものである。
【００１４】
請求項２記載の照明器具によれば、請求項１と同様な効果のほか、操作つまみを形や色という簡単な構成により見分けられる。
【００１５】
請求項３記載の照明器具は、請求項１において、前記プルスイッチの前記操作つまみの引き紐が相互に種類、太さまたは色が異なるものである。
【００１６】
請求項３記載の照明器具によれば、請求項１と同様な効果のほか、引き紐が異なることにより操作つまみを容易に見分けることができる。
【００１７】
請求項４記載の照明器具は、請求項１において、前記複数のプルスイッチの前記操作つまみが、相互に操作つまみ１つ分の長さより長い相互間隔をあけているものである。
【００１８】
請求項４記載の照明器具によれば、請求項１と同様な効果のほか、操作つまみを近づけて並べた場合、鉛直方向の間隔を、操作つまみの操作性を損なうことなく、操作つまみを離れすぎず美観を損なわない程度にすることができる。
【００１９】
【発明の実施の形態】
この発明の第１の実施の形態を図１により説明する。すなわち、この照明器具は、複数のランプ１と、複数のプルスイッチ２と、器具本体３を有する。
【００２０】
まず、器具本体３は、吊下型であり、チェーン４により天井から吊下げている。５はセードである。点灯装置は公知のものを適用する。
【００２１】
複数のランプ１は、複数の主光源となる蛍光ランプや白熱ランプと、常夜灯となる豆ランプを有する。
【００２２】
複数のプルスイッチ２は、複数のランプ１の使用頻度に応じて複数のランプを分担制御する。このプルスイッチ２は２個であり、操作つまみ６、７の位置すなわち操作つまみ６、７をプルスイッチ２から吊り下げている紐８，９の長さが相互に異なり、操作つまみ６、７において操作つまみ１つ分の長さ程度以上の相互間隔をあけている。この場合、使用頻度の高いランプは主光源であり、操作つまみ７の位置が低いプルスイッチを使用する。このプルスイッチ２による主光源の切替えは例えば第１負荷、第２負荷および滅の切替え、具体的一例としては全灯→調光（一部の点灯及び調光）→滅の切替である。この操作つまみ７は例えば木製または成形品である。
【００２３】
使用頻度の低いランプ１は常夜灯であり、操作つまみ６の位置が高いプルスイッチ２を使用する。操作つまみ６の位置が高いプルスイッチは、操作つまみ６が暗くても確認できる蓄光効果のある材料を使っている。
【００２４】
なお、プルスイッチの構造は公知のものを適用する。
【００２５】
第１の実施の形態によれば、複数のプルスイッチ２を用途すなわち使用頻度に応じて分担制御することにより、使用頻度に応じてプルスイッチ２を相互に使い分けることができ、スイッチ操作が簡単な照明器具を得ることができる。
【００２６】
また２個のプルスイッチ２の各操作つまみ６、７の引き紐８、９による位置が相互に異なるため、簡単な構成により２個のプルスイッチ２を見分けやすい。
【００２７】
部屋全体のあかりの切替すなわち主光源の切替は使用頻度が高いため位置が低い操作つまみ７のプルスイッチとし、使用頻度が低い常夜灯は位置が高い操作つまみ６のプルスイッチとしたため、よく使う操作つまみ７の位置が低いことにより、他の操作つまみ６を一緒に引くことがなく操作性がよい。
【００２８】
位置の高い操作つまみ６のプルスイッチが、操作つまみ６が暗くても確認できる蓄光効果を有するため、暗がりの中でも、豆球等の常夜灯を操作する操作つまみ６が分かりやすい。
【００２９】
複数のプルスイッチの操作つまみ６、７が、相互に操作つまみ１つ分の長さより長い相互間隔をあけているため、操作つまみ６、７を近づけて並べた場合、鉛直方向の間隔を、操作つまみ６、７の操作性を損なうことなく、操作つまみ６、７を離れすぎず美観を損なわない程度にすることができる。複数のプルスイッチを用途に応じて使い分けることができ、スイッチ操作が簡単な照明器具を得ることができる。
【００３０】
この発明の第２の実施の形態を図２により説明する。第１の実施の形態において、操作つまみ６、７の形状、色が異なっている。図２（ａ）は操作つまみ６、７の形状を変えるもので長い方が球状、短い方が立方体である。図２（ｂ）は操作つまみ６、７の色を変えるもので、相互に見分けやすい異なる色を採用する。
【００３１】
この実施の形態によれば、プルスイッチ２の操作つまみ６、７が形状や色という簡単な構成により見分けられる。
【００３２】
この発明の第３の実施の形態を図３により説明する。すなわち、第１の実施の形態において、操作つまみ６、７を吊る紐８、９の太さを変えるものである。例えば常夜灯の操作つまみ６の紐９が細く、使用頻度の高い主光源の切替の操作つまみ７の紐８を太くして、紐８が切れにくくしている。
【００３３】
またプルスイッチ２の操作つまみ６、７の引き紐８、９が相互に太さが異なることにより、操作つまみ６、７を容易に見分けることができる。
【００３４】
この発明の第４の実施の形態を図４により説明する。すなわち、第３の実施の形態において、操作つまみ６、７の引き紐８、９の種類、または色が異なる。図４（ａ）は紐８、９の種類を変えており、短い紐９はボールチェーンを使用し、長い紐は布８を使用する。
【００３５】
図４（ｂ）は紐８、９の色を変えるものである。
【００３６】
プルスイッチ２の操作つまみ６、７の引き紐８、９が相互に種類または色が異なることにより、操作つまみ６、７を容易に見分けることができる。
【００３７】
【発明の効果】
請求項１記載の照明器具によれば、複数のプルスイッチを用途すなわち使用頻度に応じて分担制御することにより、使用頻度に応じてプルスイッチを相互に使い分けることができ、スイッチ操作が簡単な照明器具を得ることができる。プルスイッチが２個であり、プルスイッチの各操作つまみの位置が相互に異なるため、簡単な構成により２個のプルスイッチを見分けやすい。部屋全体のあかりの切替すなわち主光源の切替は使用頻度が高いので操作つまみの位置を低くし、使用頻度が低い常夜灯は操作つまみの位置を高くしたため、よく使う操作つまみの位置が低くなることにより、他の操作つまみを一緒に引くことがなく操作性がよい。操作つまみの位置が高いプルスイッチが、前記操作つまみが暗くても確認できる蓄光効果を有するため、暗がりの中でも、豆球等の常夜灯を操作する操作つまみが分かりやすい。
【００４１】
請求項２記載の照明器具によれば、請求項１と同様な効果のほか、操作つまみを形や色という簡単な構成により見分けられる。
【００４２】
請求項３記載の照明器具によれば、請求項１と同様な効果のほか、引き紐が異なることにより操作つまみを容易に見分けることができる。
【００４３】
請求項４記載の照明器具によれば、請求項１と同様な効果のほか、操作つまみを近づけて並べた場合、鉛直方向の間隔を、操作つまみの操作性を損なうことなく、操作つまみを離れすぎず美観を損なわない程度にすることができる。
【図面の簡単な説明】
【図１】この発明の第１の実施の形態の概略断面図である。
【図２】第２の実施の形態を示し、（ａ）は操作つまみの形を変えた部分側面図、（ｂ）は操作つまみの色を変えた部分側面図である。
【図３】第３の実施の形態の概略断面図である。
【図４】第４の実施の形態を示し、（ａ）は操作つまみの紐の種類を変えた部分側面図、（ｂ）は操作つまみの紐の色を変えた部分側面図である。
【符号の説明】
１    複数のランプ
２    複数のプルスイッチ
３    器具本体
６、７    操作つまみ
８、９    引き紐
【図１】
0003982169.tif 000002
【図２】
0003982169.tif 000003
【図３】
0003982169.tif 000004
【図４】
0003982169.tif 000005